(57)【要約】【課題】ユーザが食べ物を簡単に挟み取ることができ、また、箸の面に拘わらず箸をテーブル上に置いた場合に、箸の先端部がテーブルに接触して汚れることを防止でき、衛生的に優れた箸の構造を提供すること。【解決手段】第１の箸本体１０および第２の箸本体２０から構成される。第１の箸本体は、一方の部分に、第１の握り部を含み、他方の部分に、第１の握り部に連接する第１の螺旋部を含む。第２の箸本体２０は、一方の部分に、第２の握り部を含み、他方の部分に、第２の握り部に連接する第２の螺旋部を含む。この構成より、挟み取った食べ物が滑り落ちるのを防止することができるため、簡単で便利に使用できる上、箸をテーブル上に置いたとき、箸の先端部がテーブルに接触して汚れることがないため、衛生的に箸を使用することができる。【選択図】図１
0003155504.tif 000002
【実用新案登録請求の範囲】
【請求項１】
一方の部分に、第１の握り部を含み、他方の部分に前記第１の握り部に連接する第１の螺旋部を含む第１の箸本体と、
一方の部分に、第２の握り部を含み、他方の部分に、前記第２の握り部に連接する第２の螺旋部を含む第２の箸本体と、
を具備したことを特徴とする箸の構造。
【請求項２】
前記第１の握り部および前記第２の握り部の断面は、方形であることを特徴とする請求項１に記載の箸の構造。
【請求項３】
前記第１の螺旋部は、左螺旋または右螺旋であり、前記第２の螺旋部は、右螺旋または左螺旋であることを特徴とする請求項１または請求項２に記載の箸の構造。
【請求項４】
さらに、２つの支持部材を含み、前記２つの支持部材は、前記第１の箸本体の第１の握り部の一方の端部と、前記第２の箸本体の第２の握り部の一方の端部と、にそれぞれ設けたことを特徴とする請求項１から請求項３のいずれか１項に記載の箸の構造。
【請求項５】
前記２つの支持部材は、前記第１の箸本体の前記第１の握り部および前記第２の箸本体の第２の握り部よりも外径が大きな管状部材であって、前記第１の螺旋部と前記第２の螺旋部から嵌入して、前記第１の箸本体の第１の握り部の一方の端部および前記第２の箸本体の第２の握り部の一方の端部にそれぞれ接着して一体的に構成すると共に、互いの側面を係合可能に構成して、前記第１の握り部と前記第１の螺旋部とが、同一直線上に配置され、前記第２の握り部と前記第２の螺旋部とが、同一直線上に配置されることを特徴とする請求項４に記載の箸の構造。
【考案の詳細な説明】
【技術分野】
【０００１】
本考案は、箸の構造に関し、特に、錐形の螺旋部を含む箸の構造に関する。
【背景技術】
【０００２】
従来の箸は、プラスチックまたは木質材料から製造されるものが多い。また、従来の箸は、断面が円形である上、表面が平滑であるものが多いため、ユーザが食べ物を挟み取るのが困難である上、挟み取った食べ物を落としやすい。
【０００３】
さらに、従来の箸は、ユーザが箸をテーブルに置いたとき、箸の先端部がテーブルに接触するため、汚れやすく、衛生的に優れない。
【０００４】
また、このような従来の箸では、ユーザが箸を使用するとき、指を使って２本の箸を分離させて支点を作った上で、食べ物を挟みとる動作を行わなければならないため、非常に不便である。即ち、従来の箸の構造には、多くの欠点が存在するため、改良が求められていた。
【０００５】
箸置きを使わずに箸の先端部を浮かせるようにした、従来の箸置き不用の箸としては、例えば、特許文献１に記載されているように、箸の頭部に適度な面と重さを持つ安定台を設け、さらに、箸の中央からやや頭部よりに突出した支持台を設けて構成して、箸全体を安定台と支持台で支え、箸の先端部を浮かせるようにした箸置き不用の箸がある。
【先行技術文献】
【特許文献】
【０００６】
【特許文献１】特開２００１−２３１６７４号公報
【考案の概要】
【考案が解決しようとする課題】
【０００７】
しかしながら、特許文献１に記載の従来の箸では、箸の先端部の表面が平滑であり、ユーザが食べ物を挟み撮ることが困難である上、挟み取った食べ物を落としやすいといった問題点がある。
【０００８】
また、特許文献１に記載の従来の箸では、前記支持台が、箸の一部の側面のみにしか設けられてないので、ユーザが箸の逆側の側面をテーブル等に置いた場合には、箸の先端部がテーブルに接触してしまい、これを防止するには注意が必要であり、使い勝手が良くないといった問題点もある。
【０００９】
そこで、本考案の第１の目的は、ユーザが食べ物を簡単に挟み取ることができる箸の構造を提供することにある。
【００１０】
また、本考案の第２の目的は、箸の面に拘わらず箸をテーブル上に置いたときに、箸の先端部がテーブルに接触して汚れることを防止でき、衛生的に優れた箸の構造を提供することにある。
【課題を解決するための手段】
【００１１】
上述の課題を解決するために、本考案の箸の構造は、一方の部分に、第１の握り部を含み、他方の部分に前記第１の握り部に連接する第１の螺旋部を含む第１の箸本体と、一方の部分に、第２の握り部を含み、他方の部分に、前記第２の握り部に連接する第２の螺旋部を含む第２の箸本体と、を具備している。
【００１２】
また、本考案の箸の構造は、さらに、２つの支持部材を含み、前記２つの支持部材は、前記第１の箸本体の第１の握り部の一方の端部と、前記第２の箸本体の第２の握り部の一方の端部と、にそれぞれ設けたことを特徴とする。
【００１３】
前記２つの支持部材は、前記第１の箸本体の前記第１の握り部および前記第２の箸本体の第２の握り部よりも外径が大きな管状部材であって、前記第１の螺旋部と前記第２の螺旋部から嵌入して、前記第１の箸本体の第１の握り部の一方の端部および前記第２の箸本体の第２の握り部の一方の端部にそれぞれ接着して一体的に構成すると共に、互いの側面を係合可能に構成して、前記第１の握り部と前記第１の螺旋部とが、同一直線上に配置され、前記第２の握り部と前記第２の螺旋部とが、同一直線上に配置される。
【考案の効果】
【００１４】
本考案による箸の構造によれば、ユーザが食べ物を簡単に挟み取ることができるといった利点があり、また、箸の面に拘わらず箸をテーブル上に置いたときに、箸の先端部がテーブルに接触して汚れることを防止でき、衛生的に優れた箸の構造を提供することができるといった利点がある。
【図面の簡単な説明】
【００１５】
【図１】本考案の一実施例に係る箸の構造を示す斜視図。
【図２】図１の第１の螺旋部および第２の螺旋部を示す拡大図。
【図３】図１の箸の構造を示す上面図。
【図４】本実施例の箸の構造の使用状態を示す上面図。
【図５】本実施例の箸の構造の他の使用状態を示す上面図。
【図６】本考案の他の実施例に係る箸の構造の第１の螺旋部および第２の螺旋部を示す拡大図。
【図７】図６の第１の螺旋部および第２の螺旋部の変形例を示す拡大図。
【考案を実施するための形態】
【００１６】
以下、図面を参照して本考案の実施例について説明する。  
図１〜図５は、本考案の箸の構造の一実施例に係り、図１は、本実施例に係る箸の構造を示す斜視図、図２は、図１の第１の螺旋部および第２の螺旋部を示す拡大図、図３は、図１の箸の構造を示す上面図、図４は、本実施例の箸の構造の使用状態を示す上面図、図５は、本実施例の箸の構造の他の使用状態を示す上面図である。
【００１７】
図１〜図５に示すように、本実施例による箸の構造は、一方の部分に、第１の握り部１１を含み、他方の部分に、第１の握り部１１に連接する第１の螺旋部１２を含む第１の箸本体１０と、一方の部分に、第２の握り部２１を含み、他方の部分に、第２の握り部２１に連接する第２の螺旋部２２を含む第２の箸本体２０と、を有して構成される。
【００１８】
前記第１の箸本体１０および第２の箸本体２０は、例えば、木質材料または金属材料を用いて形成される。  
なお、第１の箸本体１０および第２の箸本体２０は、このような木質材料または金属材料に限定されることはなく、例えば、プラスチック材料または金属材料を用いて構成しても良い。
【００１９】
前記第１の握り部１１および第２の握り部２１の断面は、例えば方形であり、ユーザが把持しやすい形状に構成されている。勿論、前記第１の握り部１１および第２の握り部２１の断面は、方形に限定されるものではなく、円形となるように構成しても良い。
【００２０】
図２に示すように、前記第１の螺旋部１２は、前記第１の箸本体１０の先端部に設けられている。また、前記第１の螺旋部１２は、例えば、錐形に構成され、その螺旋方向が左回り方向となる左螺旋、または右回り方向となる右螺旋となるように構成されている。
【００２１】
前記第２の螺旋部２２は、前記第２の箸本体２０の先端部に設けられている。また、前記第２の螺旋部２２は、例えば、錐形に構成され、その螺旋方向が、前記第１の螺旋部１２の螺旋方向とは異なる方向の右回り方向となる右螺旋、または左回り方向となる左螺旋となるように構成されている。
【００２２】
また、本実施例の箸の構造は、さらに、２つの支持部材３０を有し、前記２つの支持部材３０は、前記第１の箸本体１０の第１の握り部１１の一方の端部と、前記第２の箸本体２０の第２の握り部２１の一方の端部と、にそれぞれ設けて構成される。
【００２３】
前記２つの支持部材３０は、図３〜図５に示すように、第１の箸本体１０の第１の握り部１１および前記第２の箸本体２０の第２の握り部２１よりも外径が大きな管状部材であって、前記第１の螺旋部１２と前記第２の螺旋部２２から嵌入して、第１の箸本体１０の第１の握り部１１の一方の端部および前記第２の箸本体２０の第２の握り部２１の一方の端部にそれぞれ接着して一体的に構成すると共に、互いの側面を係合可能に構成している。
【００２４】
すなわち、第１の箸本体１０および第２の箸本体２０が、長手方向に延設した直線形状に形成されているため、前記２つの支持部材３０を、前記第１の螺旋部１２と前記第２の螺旋部２２から嵌入して固定することができるので、結果的に、前記第１の握り部１１と前記第１の螺旋部１２とが、同一直線上に配置され、前記第２の握り部２１と前記第２の螺旋部２２とが、同一直線上に配置されることになる。
【００２５】
なお、前記２つの支持部材３０は、多角形の面を有する管状部材として構成したが、これに限定されることはなく、外周面が円弧である管状部材として構成しても良い。また、前記２つの支持部材３０を、前記第１の箸本体１０および第２の箸本体２０と一体成形して設けても良い。
【００２６】
また、前記２つの支持部材３０は、前記第１の握り部１１の一方の端部および前記第２の握り部２１の一方の端部にそれぞれ設けたが、詳しくは、ユーザが第１の箸本体１０および第２の箸本体２０をテーブルに置いたときに、箸の後端部である前記第１の握り部１１および前記第２の握り部２１がテーブルに接触し、かつ、箸の先端部である前記第１の螺旋部１２および前記第２の螺旋部２２がテーブルから浮くような位置に設けてられている。
【００２７】
上述の構成により、ユーザが第１の箸本体１０および第２の箸本体２０を把持し、第１の螺旋部１２および第２の螺旋部２２を利用して食べ物を挟み取るとき、第１の箸本体１０および第２の箸本体２０の一部の外周にそれぞれ設けられる第１の螺旋部１２および第２の螺旋部２２により、挟み取った食べ物が滑り落ちるのを防止することができる。
【００２８】
また、本実施例の箸の構造では、第１の箸本体１０の第１の握り部１１および第２の箸本体２０の第２の握り部２１の所定の位置に、２つの支持部材３０がそれぞれ配置されている。つまり、前記２つの支持部材３０は、第１の箸本体１０および第２の箸本体２０を平面上に置いたときの支点となる。
【００２９】
従って、ユーザが、第１の箸本体１０および第２の箸本体２０をテーブル上に置いた場合に、前記２つの支持部材３０により、第１の箸本体１０および第２の箸本体２０の先端部の外周部に設けられる第１の螺旋部１２および第２の螺旋部２２が浮くことになる。これにより、これら第１の螺旋部１２および第２の螺旋部２２がテーブルに接触して汚れるのを防止することができるので、極めて衛生的である。
【００３０】
また、前記２つの支持部材３０は、前記第１の握り部１１および第２の握り部２１の外周部全体に設けられているので、ユーザは、箸の面を気にせずに、箸のどの面をテーブルに置いたとしても、これら第１の螺旋部１２および第２の螺旋部２２がテーブルに接触して汚れるのを防止することができるため、とても使い勝手が良い。
【００３１】
また、本実施例の箸の構造は、図４および図５に示すように、ユーザが箸を使用するとき、２つの支持部材３０が操作の支点となり、第１の螺旋部１２と第２の螺旋部２２とが逆Ｖ形、またはＶ形となるように用いることができるため、ユーザが食べ物を挟み取るのに便利であり、様々な使用方法を行うことができるので、実用性が高い。
【００３２】
従って、本実施例によれば、ユーザが食べ物を簡単に挟み取ることができるといった利点があり、また、箸の面に拘わらず箸をテーブル上に置いたときに、箸の先端部がテーブルに接触して汚れることを防止でき、衛生的に優れた箸の構造の実現が可能となる。
【００３３】
図６および図７は、本考案の他の実施例に係り、図６は他の実施例に係る箸の構造の第１の螺旋部および第２の螺旋部を示す拡大図、図７は、図６の第１の螺旋部および第２の螺旋部の変形例を示す拡大図である。
【００３４】
本実施例の箸の構造は、前記実施例と略同様に構成されているが、第１の螺旋部１２と第２の螺旋部２２の螺旋方向が、同じ向きとなるように構成されている。
【００３５】
本実施例の箸構造は、例えば、図６に示すように、第１の螺旋部１２と第２の螺旋部２２の螺旋方向が、共に左回り方向の左螺旋として構成される。  
また、図７に示すように、本実施例の箸の構造は、第１の螺旋部１２と第２の螺旋部２２の螺旋方向が、共に右回り方向の右螺旋として構成しても良い。  
その他の構成は、前記実施例と同様である。
【００３６】
このような構成によれば、第１の螺旋部１２と第２の螺旋部２２の螺旋方向が、同じ向きとなるように構成した場合でも、前記実施例と同様に、ユーザが便利に食べ物を挟みとることができ、挟み取った食べ物が滑り落ちるのを防止することができるため、実用性が高い。  
従って、本実施例によれば、前記実施例と同様の効果が得られる。
【００３７】
なお、本考案に係る前記実施例においては、第１の箸本体１０の第１の螺旋部１２と、第２の箸本体２０の第２の螺旋部２２とは、互いに逆方向の右螺旋および左螺旋（図２参照）、或いは、同方向の左螺旋（図６を参照）、或いは、同方向の右螺旋（図７参照）として構成すればよく、何れの場合も、同じように効果が得られることはいうまでもない。
【００３８】
本考案は、以上述べた実施例及び変形例に限定されるものではなく、考案の要旨を逸脱しない範囲で種々変形実施可能である。
【符号の説明】
【００３９】
１０…  第１の箸本体、
１１…  第１の握り部、
１２…  第１の螺旋部、
２０…  第２の箸本体、
２１…  第２の握り部、
２２…  第２の螺旋部、
３０…  支持部材。
【図１】
0003155504.tif 000003
【図２】
0003155504.tif 000004
【図３】
0003155504.tif 000005
【図４】
0003155504.tif 000006
【図５】
0003155504.tif 000007
【図６】
0003155504.tif 000008
【図７】
0003155504.tif 000009